【手続補正書】
【提出日】平成17年12月26日(2005.12.26)
【手続補正１】
【補正対象書類名】特許請求の範囲
【補正対象項目名】全文
【補正方法】変更
【補正の内容】
【特許請求の範囲】
【請求項１】
式（Ｉ）の反応性保護コロイド：
Ｒ−［Ｑ−Ｌ−（Ａ）ｍ］ｎ      （Ｉ）
ここで、
ｍとｎは、独立して、１又はそれ以上の自然数であり；
ＱとＬは、共に結合鎖であり；
Ａは、反応性官能基であり；及び
Ｒは、低分子量基、ポリマーもしくはオリゴマー鎖、又はそれらのハロゲン化誘導体である。
【請求項２】
ｍとｎは、独立して１〜１０である請求項１に記載の反応性保護コロイド。
【請求項３】
ｍとｎは、独立して２〜６である請求項２に記載の反応性保護コロイド。
【請求項４】
結合部分Ｑは、エーテル（−Ｏ−）、チオエーテル（−Ｓ−）、アミド（−ＣＯＮＲ３−又は−Ｒ３ＮＣＯ−）、イミド［（−ＣＯ）２Ｎ−］、ウレア（−Ｒ３ＮＣＯＮＲ４−）、チオウレア（−Ｒ３ＮＣＳＮＲ４−）、ウレタン（−ＯＣＯＮＲ３−又は−Ｒ３ＮＣＯＯ−）、チオウレタン（―ＯＣＳＮＲ３−又は−Ｒ３ＮＣＳＯ−）、エステル（−ＣＯＯ−又は−ＯＯＣ−）、カーボネート［−ＯＣ（Ｏ）Ｏ−］、イミン（＝Ｎ−）又はアミン（−ＮＲ３−）であり、ここで、Ｒ３とＲ４は、独立して、ハロゲン、アルキル、アリール、アルキルアリール、フルオロアルキル、フルオロアリール、フルオロアルキルアリール又はフッ素化されたポリエーテル又はそれらの誘導体である、請求項１に記載の反応性保護コロイド。
【請求項５】
該結合部分は、アミドである請求項４に記載の反応性保護コロイド。
【請求項６】
該結合部分は、ウレタンである請求項４に記載の反応性保護コロイド。
【請求項７】
Ｒが、下記式によって表される請求項１に記載の反応性保護コロイド：
【化１】
2005514473.tif 000001
ここで、
主鎖上のオープンの置換基位置（指定せず）は、水素、ハロゲン、アルキル、アリール、アルキルアリール、フルオロアルキル、フルオロアリール、フルオロアルキルアリール、−ＣＯＯＲ１、−ＣＯＮＲ１Ｒ２（ここで、Ｒ１とＲ２は、独立して、水素、アルキル、アリール、アルキルアリール、フルオロアルキル、フルオロアリール、フルオロアルキルアリール又はフッ素化されたポリエーテルである）及びそれらの置換された誘導体から成る群から独立して選択され、；
Ｚ１、Ｚ２及びＺ３は、独立して、酸素であるか又は存在しない；及び
ａ、ｂ及びｃは、対応する繰り返し単位の重量割合であり、独立して、０〜１の範囲にあり、それらの合計は１より大きくない。
【請求項８】
ハロゲンは、フッ素である請求項７に記載の反応性保護コロイド。
【請求項９】
Ｒは、ホモポリマー、ランダムコポリマー、ブロックコポリマー又はグラフトタイプもしくは櫛状のコポリマーである請求項１に記載の反応性保護コロイド。
【請求項１０】
３５０〜１００，０００の範囲の平均分子量を有する請求項１に記載の反応性保護コロイド。
【請求項１１】
５００〜３０，０００の範囲の平均分子量を有する請求項１に記載の反応性保護コロイド。
【請求項１２】
Ｒは、少なくとも２０重量％のフッ素を含んで成る請求項１に記載の反応性保護コロイド。
【請求項１３】
Ｒは、少なくとも５０重量％のフッ素を含んで成る請求項１に記載の反応性保護コロイド。
【請求項１４】
Ａは、アミノ基又はイソシアネート基である請求項１に記載の反応性保護コロイド。
【請求項１５】
ｍは、２又はそれ以上である請求項１４に記載の反応性保護コロイド。
【請求項１６】
ｍは、２であるである請求項１５に記載の反応性保護コロイド。
【請求項１７】
Ｒは式（ＩＩ）であって、
式（ＩＩ）の主鎖は、一又はそれ以上のフッ素原子又はトリフルオロメチル基で置換されており、
Ｚ１は、酸素であり、Ｚ３は、存在せず、
ａは、０．８〜０．９９５、ｂは、０、及びｃは、０．００５〜０．２
である請求項１に記載の反応性保護コロイド。
【請求項１８】
Ａは、−ＮＨ２基、ｍは、２及び−Ｑ−Ｌ−は、アミド結合部分を有する結合鎖である請求項１７に記載の反応性保護コロイド。
【請求項１９】
Ｒは式（ＩＩ）であって、
式（ＩＩ）の主鎖は、一又はそれ以上のフッ素原子又はトリフルオロメチル基で置換されており、
Ｚ１は、酸素であり、Ｚ２は、存在せず、
ａは、０．８〜０．９９５、ｂは、０．００５〜０．２、及びｃは、０
である請求項１に記載の反応性保護コロイド。
【請求項２０】
Ａは、イソシアネート基、ｍは、２、−Ｑ−Ｌ−は、ウレタン又はウレア結合部分を有する結合鎖である請求項１９に記載の反応性保護コロイド。
【請求項２１】
式（ＩＩＩ）の反応性保護コロイド：
【化２】
2005514473.tif 000002
ここで、主鎖上のオープンの置換基位置（指定せず）は、水素、ハロゲン、アルキル、アリール、アルキルアリール、フルオロアルキル、フルオロアリール、フルオロアルキルアリール、−ＣＯＯＲ１、−ＣＯＮＲ１Ｒ２（ここで、Ｒ１とＲ２は、独立して、水素、アルキル、アリール、アルキルアリール、フルオロアルキル、フルオロアリール、フルオロアルキルアリール又はフッ素化されたポリエーテルである）及びそれらの置換された誘導体から成る群から独立して選択され、；
Ｒ’は、水素、ハロゲン、アルキル、アリール、アルキルアリール、フルオロアルキル、フルオロアリール、フルオロアルキルアリール、−ＯＲ１、−ＯＣＯＲ１、−ＣＯＯＲ１、−ＣＯＮＲ１Ｒ２（ここで、Ｒ１とＲ２は、独立して、水素、アルキル、アリール、アルキルアリール、フルオロアルキル、フルオロアリール、フルオロアルキルアリール又はフッ素化されたポリエーテル）又はそれらの置換誘導体であり；
−Ｑ−Ｌ−は、結合鎖であり；
Ａは、反応性官能基であり；
ｍは、１又はそれ以上の自然数であり；
Ｚは、酸素、ＮＲ５、又はＮ−Ｌ−（Ａ）ｍであり、Ｌは、結合鎖であり、Ａは、反応性官能基であり、ｍは、１又はそれ以上の自然数であり、Ｒ５は、水素、アルキル、アリール、アルキルアリール、フルオロアルキル、フルオロアリール、フルオロアルキルアリール、−ＣＯＯＲ１、−ＣＯＮＲ１Ｒ２（ここで、Ｒ１とＲ２は、独立して、水素、アルキル、アリール、アルキルアリール、フルオロアルキル、フルオロアリール、フルオロアルキルアリール又はフッ素化されたポリエーテル）又はそれらの置換誘導体；及び
ｄ、ｅ及びｆは、対応する繰り返し単位の重量割合であり、それらの合計は１より大きくない。
【請求項２２】
ｄは、０．２〜０．９９５の範囲である請求項２１に記載の反応性保護コロイド。
【請求項２３】
ｄは、０．５〜０．９５である請求項２２に記載の反応性保護コロイド。
【請求項２４】
ｅは、０．００５〜０．８の範囲である請求項２１に記載の反応性保護コロイド。
【請求項２５】
ｅは、０．０１〜０．５である請求項２４に記載の反応性保護コロイド。
【請求項２６】
ｆは、０〜０．８の範囲である請求項２１に記載の反応性保護コロイド。
【請求項２７】
ｆは、０．００１〜０．２である請求項２６に記載の反応性保護コロイド。
【請求項２８】
少なくとも２０重量％のフッ素を含んで成る請求項２１に記載の反応性保護コロイド。
【請求項２９】
少なくとも５０重量％のフッ素を含んで成る請求項２８に記載の反応性保護コロイド。
【請求項３０】
式（Ｉ）：
Ｒ−［Ｑ−Ｌ−（Ａ）ｍ］ｎ      （Ｉ）
ここで、
ｍとｎは、独立して、１又はそれ以上の自然数であり；
ＱとＬは、共に結合鎖であり；
Ａは、反応性官能基であり；及び
Ｒは、低分子量の、ポリマーのもしくはオリゴマーの鎖、又はそれらのハロゲン化された誘導体である
の反応性保護コロイドの製造方法であって、
Ｒ−Ｘｎ      （ＩＶ）
によって示される化合物と
（Ｙ−Ｌ−（Ａ）ｍ）ｎ      （Ｖ）
によって示される化合物とを反応させることを含んで成る製造方法：
ここで、Ｒ、Ｌ、Ａ、ｍ及びｎは、上述したように定義され、Ｘは、相補的な反応基Ｙと反応して結合部分Ｑを形成することができる反応基である。
【請求項３１】
ＸとＹが、互いに相補的であって、結合部分を形成するという条件で、ＸとＹは、独立して、−ＯＨ、−ＳＨ、−Ｉ、−Ｂｒ、−Ｃｌ、―ＮＨ２、＝ＮＨ、カルボキシル又は誘導体（例えば、−ＣＯＯＨ、−ＣＯＯＲ又は−ＣＯＣｌ）、アクリレート、無水物、イソシアネート（−ＮＣＯ）、イソチオシアネート（−ＮＣＳ）、アミド（−ＣＯＮＨ２）又はウレアであってよい請求項３０に記載の製造方法。
【請求項３２】
Ｘは、エステル基、Ｙは、アミノ基であり、形成される結合部分は、アミド結合である請求項３１に記載の製造方法。
【請求項３３】
Ｘは、アルコール基であり、Ｙは、イソシアネート基であり、形成される結合部分は、ウレタン結合である請求項３１に記載の製造方法。
【請求項３４】
該ポリマー又はオリゴマー鎖Ｒは、ラジカル重合、縮合重合、開環重合又はイオン重合によって形成される請求項３０に記載の製造方法。
【請求項３５】
該ポリマー又はオリゴマー鎖Ｒは、ビニル、アクリレート、メタクリレート、スチレン、ジエン、マレイン酸無水物及びそれらの誘導体から成る群から選択されたオレフィン性モノマーの重合によって形成される請求項３０に記載の製造方法。
【請求項３６】
該モノマーは、パーフルオロアルキルアクリレート、パーフルオロアルキルメタクリレート、フッ化ビニル、フッ化ビニリデン、テトラフルオロエチレン、又はクロロトリフルオロエチレンである請求項３５記載の製造方法。
【請求項３７】
該ポリマー又はオリゴマー鎖Ｒは、オキシラン、環状エーテル又はアルデヒドの重合によって形成される請求項３０に記載の製造方法。
【請求項３８】
該ポリマー又はオリゴマー鎖Ｒは、予め形成されたポリマーの側鎖の修飾によって形成される請求項３０に記載の製造方法。
【請求項３９】
（ａ）反応性モノマー又はオリゴマー及び場合により溶媒の混合物中に分散したピグメント粒子を含んで成る内相；及び
（ｂ）請求項１又は２１に記載の反応性保護コロイドを含んで成る連続相
との間で界面重合／架橋反応することによって、ピグメントマイクロカプセルを製造するマイクロカプセル化方法。
【請求項４０】
内相の該溶媒が、１気圧で１５０℃より低い沸点を有する揮発性の溶媒である請求項３９に記載のマイクロカプセル化方法。
【請求項４１】
該連続相は、パーフルオロアルカン、パーフルオロアルキルベンゼン、パーフルオロ−ｔｅｒｔ−アミン、パーフルオロポリエーテル、ポリ（パーフルオロアルキルアクリレート）、及びポリ（パーフルオロアルキルメタクリレート）から成る群から選択されるフッ素化された溶媒を含んで成る請求項３９に記載のマイクロカプセル化方法。
【請求項４２】
内相からの反応性モノマーもしくはオリゴマーと、連続相からの請求項１又は２１に記載の反応性保護コロイドとの間の界面重合／架橋が、マイクロカプセルの硬い殻を形成する請求項３９に記載のマイクロカプセル化方法。
【請求項４３】
該界面重合／架橋は、次の組の一つの組によって達成される請求項４２に記載のマイクロカプセル化方法：
アミン／イソシアネート、アミン／チオイソシアネート、アミン／無水物、アミン／酸クロライド、アミン／クロロホルメート、アミン／エポキサイド、アルコール／イソシアネート、アルコール／チオイソシアネート、チオール／イソシアネート、チオール／チオイソシアネート、カルボジイミド／エポキサイド又はアルコール／シリル。
【請求項４４】
溶媒蒸発、現場ラジカル重合／架橋、開環重合／架橋又は縮合重合／架橋又はそれらの組み合わせによって、内相を、更に硬化する請求項４２に記載のマイクロカプセル化方法。
【請求項４５】
該連続相は、第二の反応性モノマー又はオリゴマーを更に含んで成る請求項３９に記載のマイクロカプセル化方法。
【請求項４６】
該第二の反応性モノマー又はオリゴマーは、低分子量多官能価アミンである請求項４５に記載のマイクロカプセル化方法。
【請求項４７】
該第二の反応性モノマー又はオリゴマーは、トリス−（２−アミノエチル）アミンである請求項４５に記載のマイクロカプセル化方法。
【請求項４８】
該第二の反応性モノマー又はオリゴマーは、トリス−（２−アミノエチル）アミンとＣＦ３ＣＦ２ＣＦ２ＣＯＯＣＨ３の（１：１）の予備的縮合生成物である請求項４５に記載のマイクロカプセル化方法。
【請求項４９】
電気泳動懸濁液を安定化し、電気泳動ディスプレイの性能を向上するための、請求項１又は２１に記載の反応性保護コロイドの使用方法。
【請求項５０】
該電気泳動懸濁液は、連続相からの請求項１又は２１に記載の反応性保護コロイドを用いて界面重合によって製造したピグメントマイクロカプセルを含んで成る請求項４９に記載の方法。
【請求項５１】
該電気泳動懸濁液は、フッ素化された誘電溶媒を含んで成る請求項４９に記載の方法。
【請求項５２】
該ディスプレイは、マイクロカップにより製造されたディスプレイのセルを含んで成り、ポリマーシーリング層を用いて個々にシールされている請求項４９に記載の方法。
【請求項５３】
該ディスプレイは、マイクロカプセル化によって製造されたディスプレイのセルを含んで成る請求項４９に記載の方法。
【請求項５４】
請求項１又は２１に記載の反応性保護コロイドを使用し、
常套のアップ／ダウン・スイッチング・モードを有する電気泳動ディスプレイ。
【請求項５５】
請求項１又は２１に記載の反応性保護コロイドを使用し、
イン−プレイン・スイッチング・モードを有する電気泳動ディスプレイ。
【請求項５６】
請求項１又は２１に記載の反応性保護コロイドを使用し、
デュアル・スイッチング・モードを有する電気泳動ディスプレイ。
【請求項５７】
下記式によって示される請求項１に記載の反応性保護コロイド：
【化３】
2005514473.tif 000003
ここで、
ａは、０．８〜０．９９５の範囲で、ポリマー鎖内の繰り返し単位の重量割合である。
【請求項５８】
下記式によって示される請求項１に記載の反応性保護コロイド：
【化４】
2005514473.tif 000004
ここで、
ａは、０．８〜０．９９５の範囲で、ポリマー鎖内の繰り返し単位の重量割合である。
【請求項５９】
Ｒは、低分子量基、ポリマーもしくはオリゴマー鎖、又はそれらのフッ素化された誘導体である請求項１に記載の反応性保護コロイド。
【請求項６０】
該誘導体は、フッ素化された誘導体である請求項３５に記載の製造方法。
【請求項６１】
オキシラン又は環状エーテルは、エチレンオキサイド、プロピレンオキサイド、テトラヒドロフラン、テトラフルオロエチレンオキサイド、パーフルオロプロピレンオキサイド及びパーフルオロフランであり、アルデヒドは、トリフルオロアセトアルデヒドである請求項３７に記載の製造方法。
【請求項６２】
内相の該溶媒が、１気圧で１００℃より低い沸点を有する請求項４０に記載のマイクロカプセル化方法。